(57)【要約】【課題】画像記録範囲および観察視野範囲の形状が異なる場合において、ユーザの意図に応じた撮影および観察を行うことのできる画像記録機能付き光学機器を提供する。【解決手段】円形の観察視野範囲を備えた観察光学系と、矩形の画像記録範囲を備えた画像記録装置用の撮像光学系とを有する光学観察機器において、前記矩形の画像記録範囲に対する前記円形の観察視野範囲の相対的な位置を、前記矩形の画像記録範囲が前記円形の観察視野範囲を内包あるいは外包する２つのモード間で切換える切換手段を有することを特徴とする画像記録機能付き光学機器である。【選択図】図１
2005062233.tif 000002
【特許請求の範囲】
【請求項１】
円形の観察視野範囲を備えた観察光学系と、矩形の画像記録範囲を備えた画像記録装置用の記録光学系とを有する光学観察機器において、
前記矩形の画像記録範囲に対する前記円形の観察視野範囲の相対的な位置を、前記矩形の画像記録範囲が前記円形の観察視野範囲を内包あるいは外包するように前記画像記録範囲の大きさを変える変換手段を有することを特徴とする画像記録機能付き光学機器。
【請求項２】
前記変換手段によって、選択されたモードにしたがって前記記録光学系のレンズ位置を制御する記録光学系制御部を有することを特徴とする請求項１に記載の画像記録機能付き光学機器。
【請求項３】
前記観察光学系の観察倍率にしたがって、画像記録装置の撮影倍率を制御する制御手段を有することを特徴とする請求項１または２に記載の画像記録機能付き光学機器。
【請求項４】
前記制御手段は、視野絞りを切り替えるモード選択部を有し、モード選択により画像記録範囲と観察視野範囲との大きさの比率を示す視野率が変えられることを特徴とする請求項１〜３のいずれか１項に記載の画像記録機能付き光学機器。
【発明の詳細な説明】
【０００１】
【発明の属する技術分野】
本発明は、画像記録機能付き光学機器に関するものである。
【０００２】
【従来の技術】
特許文献１に、画面拡大のズーム記録時にビューファインダの画面の視野が狭くなることにより視野外の被写体の記録の機会を失うことを軽減することのできるビデオカメラ付き画像記録再生装置が記載されている。このビデオカメラ付き画像記録再生装置は、レンズを固定レンズとし、一定の広角の画面を撮像素子を介して画像メモリに取り込む。そして、広角、ズームの制御は、画像メモリ上の画面の範囲を制御することで行い、これを磁気テープに登録する。一方、ビューファインダには、前記撮像素子で撮像された一定の広角の画面に、記録する部分の範囲を示す画面を合成して表示する。
【０００３】
【特許文献１】
特開平５−４８９３４号公報
【０００４】
【発明が解決しようとする課題】
ところで、画像記録機能を内蔵する光学観察機器、例えば画像記録機能付き双眼鏡では、撮像（画像記録）用の光学系とは別に、観察用の光学系が設けられていることが多い。このような光学観察機器において、ユーザが被写体を観察する観察視野範囲は、観察用の光学系の性能を全て使うとレンズの形状つまり円形となる。一方、画像記録範囲は、画像記録機能の性能を全て使うと撮像素子の形状つまり矩形となる。
【０００５】
これに対し、上記特許文献１に記載のビデオカメラ付き画像記録再生装置は、固定レンズを介して撮像素子により撮像され、画像メモリに取り込まれた画像（一定の広角の画面）を、記録対象およびビューファインダへの表示対象の画像としている。つまり、上記特許文献１では、光学系が観察用および撮像用で共通しており、また、画像記録範囲および観察視野範囲は、撮像素子の機能を全て使うと一致すなわち矩形となる。上記特許文献１では、画像記録範囲および観察視野範囲の形状が異なる場合について何ら考慮されていない。
【０００６】
本発明は上記事情に鑑みてなされたものであり、画像記録範囲および観察視野範囲の形状が異なる場合において、ユーザの意図に応じた撮影および観察を行うことのできる画像記録機能付き光学機器を提供することを目的とする。
【０００７】
【課題を解決するための手段】
本発明の請求項１に係る発明は、円形の観察視野範囲を備えた観察光学系と、矩形の画像記録範囲を備えた画像記録装置用の記録光学系とを有する光学観察機器において、前記矩形の画像記録範囲に対する前記円形の観察視野範囲の相対的な位置を、前記矩形の画像記録範囲が前記円形の観察視野範囲を内包あるいは外包するように前記画像記録範囲の大きさを変える変換手段を有することを特徴とする画像記録機能付き光学機器である。
【０００８】
請求項２に係る発明は、前記変換手段によって、選択されたモードにしたがって前記記録光学系のレンズ位置を制御する記録光学系制御部を有することを特徴とする請求項１に記載の画像記録機能付き光学機器である。
【０００９】
請求項３に係る発明は、前記観察光学系の観察倍率にしたがって、画像記録装置の撮影倍率を制御する制御手段を有することを特徴とする請求項１または２に記載の画像記録機能付き光学機器である。
【００１０】
請求項４に係る発明は、前記制御手段は、視野絞りを切り替えるモード選択部を有し、モード選択により画像記録範囲と観察視野範囲との大きさの比率を示す視野率が変えられることを特徴とする請求項１〜３のいずれか１項に記載の画像記録機能付き光学機器である。
【００１１】
【発明の効果】
画像記録範囲および観察視野範囲の形状が異なる場合において、ユーザの意図に応じた撮影および観察を行うことのできる画像記録機能付き光学機器を提供できる。
【００１２】
【発明の実施の形態】
図１は、本発明の一実施形態に係る双眼鏡１の、一部断面を含む上面からの概略構成図である。この図では、内部構造も表示している。また、図４は、本発明の一実施形態に係る双眼鏡１全体の制御ブロック図である。
【００１３】
図示するように、本実施形態の双眼鏡１は、ピント調節リング２と、ズームリング３と、観察光学系１０（右眼観察光学系１０Ｒ、左眼観察光学系１０Ｌ）と、記録光学系２０と、ズーム駆動系３０と、制御系４０と、画像記録系６０と、を備えて構成されている。
【００１４】
右眼観察光学系１０Ｒは、図１に示すように、対物レンズ１１Ｒと，正立プリズム１２Ｒと，ズーム前レンズ１３Ｒと，ズーム後レンズ１４Ｒと，接眼レンズ１５Ｒとを備えて構成される。
【００１５】
同様に、左眼観察光学系１０Ｌは、図１に示すように、対物レンズ１１Ｌと，正立プリズム１２Ｌと，ズーム前レンズ１３Ｌと，ズーム後レンズ１４Ｌと，接眼レンズ１５Ｌとを備えて構成される。
【００１６】
１対のズーム後レンズ１４Ｒ、１４Ｌには、一体で移動する視野絞り１６Ｒ、１６Ｌが設けられている。観察光学系１０のズーミングは、ズームリング３の回転により左右のズームレンズを連動して、低倍時１３Ｒ（１３Ｌ）、１４Ｒ（１４Ｌ）から高倍時１３Ｒ’（１３Ｌ’）、１４Ｒ’（１４Ｌ’）に移動することで行なわれる。観察光学系１０のピント調節は、ピントリング２の回転により左右の対物レンズ１１Ｒ，１１Ｌを移動することで行われる。双眼鏡１の使用者は、被写体光源Ｓからの光を１対の接眼レンズ１５Ｒ，１５Ｌを通して眼Ｅｂによって観察する。
【００１７】
観察光学系１０において視野絞り１６Ｒ（１６Ｌ）に例えばＬＣＤ表示によって切り替え表示可能なレチクルａを設ける。尚、レチクルａは、１６Ｒまたは１６Ｌの一方に設けても良い。レチクルａは、モードＡ、Ｂ、Ｃ、が用意されている。図２は、モードＡ、Ｂ、Ｃと、観察視野範囲７１と、画像記録範囲７２との関係を説明するための図である。モードＡ、Ｂ、Ｃの切り替えは、ＬＣＤの表示切替以外にも機械的に絞りを入れてモータでの駆動、もしくは駆動自体を手動化することも可能である。
【００１８】
記録光学系２０は、図１に示すように、対物レンズ２１と、ズーム前レンズ２２と、ズーム後レンズ２３と、合焦レンズ２４と、撮像素子２５と、を備えて構成される。記録光学系２０のズーミングは、後述するレンズ駆動部であるズーム駆動系３０および制御系４０によって、観察光学系１０のズーミングに連動するズーム前レンズ２２、ズーム後レンズ２３の制御と位置の変更（２２’および２３’）により行なわれる。記録光学系２０のピントは、合焦レンズ２４の位置を記録光学系の光軸に沿って前後に変化させることで、撮像素子２５で合焦するように調整されている。したがって、記録光学系２０によって、被写体光源Ｓからの光Ｏ１は、撮像素子２５に結像する。
【００１９】
ズーム駆動系３０は、図１および図４に示すように、観察光学系ズーム位置検知装置３１と、観察光学系ズーム位置検知回路３２と、ズームモータドライブ回路３３と、合焦モータドライブ回路３４と、合焦モータ３５と、ズームモータ３６と、記録光学系ズーム位置変更装置３７と、レチクル変更装置３８と、記録光学系合焦装置３９と、を備えて構成される。
【００２０】
制御系４０は、ＣＰＵ４と、主電源スイッチ４１と、シャッタ４２と、モードスイッチ４３と、レチクル変更回路４４と、を備えて構成される。
【００２１】
画像記録系６０は、合焦回路６１と、画像処理回路６２と、出力部６３と、画像信号記録部６４と、メモリカード６５と、を備えて構成される。
【００２２】
出力部６３は、記録画像を閲覧したり、記録光学系２０の各種設定を行うための外部表示装置（例えば液晶モニタ）を備えている。
【００２３】
また、双眼鏡本体１の外面には主電源スイッチ（不図示）、モードスイッチ（不図示）、シャッターボタン（不図示）が配置されており、また観察系のピントリング２およびズームリング３の一部がむき出した状態で配置されている。
【００２４】
上記構成の双眼鏡１の動作を、図１、２、４および図５を用いて説明する。図５は、双眼鏡１の動作のフロー図である。
【００２５】
（ステップ１）
通常観察状態において、ユーザは、ピント調節リング２により、不図示の観察光学系ピント調整機構を操作する。すると、１対の対物レンズ１１Ｌ、１１Ｒの位置が調整される。被写体光源Ｓからの光を、眼Ｅｂに合焦させることができる。また、ユーザは、ズームリング３により、不図示の観察光学系ズーム機構を調整し、ユーザの望む倍率の画像を得る。
【００２６】
（ステップ２）
画像記録を可能とする状態に移行するためには、ユーザは主電源スイッチ４１をオンにする。これにより、ＣＰＵ４は、主電源がオンになったことを認識する。また、双眼鏡１の各系に電力が供給される。この状態では、レチクルａは、Ａモード（図２）となり、記録光学系のレンズ配置は観察光学系のズーム位置検知により移動される。図２に表示された、レチクルａのモード、観察視野範囲７１、画像記録範囲７２に関しては、後に詳細に説明する。
【００２７】
（ステップ３でＹの場合）
ユーザは、モードスイッチ４３を操作し、撮影目的に応じてモードＡとは別のモード選択をすることができる。
【００２８】
（ステップ３でＮの場合）
モードスイッチ４３において、モード切替えは選択されず、ステップ７のシャタ半押しへと、ジャンプする。
【００２９】
（ステップ４）
レチクル変更回路４４は、ＣＰＵ４に対して、レチクルａを選択されたモードに変更する信号を送る。ＣＰＵ４は、レチクル変更回路４４からの信号に受信し、レチクルａのモードを変更する制御信号を、レチクル変更装置３８に送信する。レチクル変更装置３８は、ＣＰＵ４からの制御信号により、レチクルａのモードを変更する。
【００３０】
（ステップ５）
レチクルａのモード変更に伴い、ユーザは観察光学系１０の視野を、ズーミングにより望ましい視野へと切り替える。ユーザが、ズームリング３を操作すると、観察光学系１０の１対のズーム前レンズ１３Ｒ，１３Ｌ，および、１対のズーム後レンズ１４Ｒ，１４Ｌが移動する。
【００３１】
観察光学系１０のズーム位置（ズーム後レンズ１４の位置）は、観察光学系ズーム位置検知装置３１によって、検知される。尚、ズーム位置は、ズーム前レンズにより検知してもよい。観察光学系ズーム位置検知装置３１は、検知されたズーム後レンズ１４の位置を、観察光学系ズーム位置検知回路３２に送信する。観察光学系ズーム位置検知回路３２は、ズーム後レンズ１４のズーミング前後の位置変位を検出し、観察光学系のズーム位置変位として、ＣＰＵ４へと送信する。
【００３２】
（ステップ６）
ＣＰＵ４は、観察光学系１０のズーム位置変位から、記録光学系２０のズームレンズの位置変位を計算し、記録光学系２０のズームレンズの位置を変位させる。そのために、まず、ＣＰＵ４は、観察光学系１０のズーム位置変位を、対応する記録光学系２０のズームレンズの位置変位へと、変換する。記録光学系２０のズーム前レンズ２２とズーム後レンズ２３とを、変換された量だけ変位させるために、ＣＰＵ４は、ズームモータドライブ回路３３に、ズームモータ３６を駆動させる制御信号を送信する。制御信号を受信したズームモータ３６は、記録光学系ズーム位置変更装置３７を介して、ズーム前レンズ２２、ズーム後レンズ２３を移動させる。
【００３３】
（ステップ７）
シャッタ４２が半押しされ、合焦動作が開始される。ユーザは、シャッタ４２を半押する。シャッタ４２は、ＣＰＵ４に対し、合焦動作を開始する信号を送信する。
【００３４】
（ステップ８）
ＣＰＵ４は、半押し信号を受けて、合焦回路６１を作動させる。また、ＣＰＵ４は、合焦レンズ２４を記録光学系の光軸に沿って移動させる制御信号を、合焦モータドライブ回路３４に送信する。合焦モータドライブ回路３４は、制御信号により、合焦モータ３５を駆動させる。合焦モータ３５は、記録光学系合焦装置３９を介して合焦レンズ２４を移動させ、被写体光源Ｓからの光０１を、撮像素子２５に合焦させる。
【００３５】
撮像素子２５に投影された光Ｏ１の内、撮像素子２５の中央部（オートフォーカスエリア）に到達した光は、撮像素子２５によってアナログ電気信号Ｏ２に変換され、合焦回路６１に送信される。
【００３６】
合焦回路６１は、ハイパスフィルタ（高周波通過フィルタ）等によってフィルタリングすると共に、不図示のアンプによってアナログ電気信号Ｏ２を増幅する。増幅した信号Ｏ２をさらにＡ／Ｄ変換し、信号Ｏ３として、ＣＰＵ４に送信する。
【００３７】
（ステップ９でＹの場合）
ＣＰＵ４は、合焦モータドライブ回路３４を介して合焦モータ３５を制御し、合焦レンズ２４の位置を移動させ、信号Ｏ３から、合焦する合焦レンズ２４の位置を捜す。
【００３８】
合焦する合焦レンズ２４の位置が見つかった場合、ＣＰＵ４は、記録光学系制御部を有し、決定した合焦レンズ２４の位置に合焦レンズ２４を固定する制御信号を、合焦モータドライブ回路３４に送信する。合焦モータドライブ回路３４は、合焦モータ３５を制御し、記録光学系合焦装置３９を介して合焦レンズ２４の位置を固定する。
【００３９】
（ステップ９でＮの場合）
合焦する合焦レンズ２４の位置が見つからない場合、レチクル変更装置３８を制御して、レチクルａに非合焦の通知をする。これと同時に、出力部６３の外部表示装置で非合焦の通知をしてもよい。そして、ＣＰＵ４は、ステップ７へ処理を戻す。
【００４０】
（ステップ１０）
上記ステップ９で合焦位置が求められた場合、ＣＰＵ４は、出力部６３の外部表示装置およびレチクル変更装置３８を制御してレチクルａに、合焦を通知する表示を行なう。
【００４１】
（ステップ１１）
ユーザは、出力部６３の外部表示装置又は、レチクルａで合焦の通知を確認した後、シャッタ４２を押す。すると、シャッタ４２は、撮影信号を出力する。
【００４２】
（ステップ１２）
ＣＰＵ４は、シャッタ４２からの撮影信号を受け、画像処理回路６２を作動させる。作動した画像処理回路６２は、撮像素子２５から合焦したアナログ合焦画像Ｏ４を受信する。画像処理回路６２は、アナログ合焦画像Ｏ４に対しＡ／Ｄ変換を行ない、更に、エッジ処理などの画像処理操作を施す。画像処理されたデジタル画像は、デジタル合焦画像Ｏ５として、出力部６３に出力される。
【００４３】
（ステップ１３）
出力部６３は、デジタル合焦画像Ｏ５を、出力部６３に備えられた画像表示装置に表示する。
【００４４】
（ステップ１４）
画像信号記録部６４は、出力部６３からデジタル合焦画像Ｏ５を受信し、不図示の内部メモリを介して、メモリカード６５に保存することができる。
【００４５】
（ステップ１５）
ユーザは、上記の撮影動作を終了した後、主電源スイッチ４１を操作し、主電源を切る。これにより、ＣＰＵ４は、主電源が切られたことを認識する。また、双眼鏡１の各系への電力供給が停止される。そして、双眼鏡１は、ステップ１の通常観察状態へ戻る。主電源を切らない場合は、ステップ３のモード選択状態へ戻る。
【００４６】
以上、本発明の一実施形態の双眼鏡１における、観察および記録動作のフローを説明した。
【００４７】
本実施の形態では、観察光学系をズーム（変倍）光学系としているが、観察光学系を固定倍とする場合は、図５におけるステップ５を省略することで実施可能である。この場合のフローチャートを図６に示す。
【００４８】
次に、図２に示された、レチクルａに表示される３つのモード（Ａ、Ｂ、Ｃ）、観察視野範囲７１、画像記録範囲７２に関して、詳細に説明する。
【００４９】
図２における観察視野範囲７１は、円形であり、双眼鏡１の観察光学系１０に対応し、観察光学系１０のズーミングと共に、観察視野範囲７１、画像記録範囲７２の像もズーミングされる。図２における画像記録範囲７２は、撮像素子（ＣＣＤ）２５と相似形であり、幅（以下、Ｗ）：高さ（以下、Ｈ）の比率は４：３の矩形とする。図２における観察視野範囲７１内の非記録範囲７３は、観察視野範囲７１が、画像記録範囲７２を内包する場合に現れる。
【００５０】
本実施形態では、レチクルａとして、３つのパターン、ａ−１、ａ−２、ａ−３、を用意している。ａ−１、ａ−２、ａ−３は、それぞれＡモード、Ｂモード、Ｃモードに対応している。
【００５１】
図２により３つのモード（Ａ、Ｂ、Ｃ）を説明する。各モードは、モードスイッチ４３によって切り替えられる。
【００５２】
観察光学系１０によって、眼Ｅｂに合焦した像の結像サイズＳ１と、記録光学系２０によって、撮像素子２５に合焦した像の結像サイズＳ２との関係によって、Ａモード、Ｂモード、および、Ｃモードの３モードがある。
【００５３】
結像サイズＳ１は、観察視野範囲７１（円形）であり、結像サイズＳ２は、画像記録範囲７２（矩形）である。
【００５４】
眼Ｅｂに合焦した像の結像サイズＳ１は、ズームリングを固定すると一定である。
【００５５】
この場合、モードの変更は、以下のように行なわれる。
【００５６】
ズームリング３を固定した後、モードスイッチ４３によって、モードが選択される。選択されたモードに合わせて、レチクル変更回路４４がＣＰＵ４に対して、選択されたモードに合わせたレチクルａを指示する。ＣＰＵ４は、レチクル変更回路４４からの指示を受け、レチクル変更装置３８にレチクルａを変更する制御を行なう。この制御によりレチクルａは変更される。その際の観察光学系１０のズーム位置が観察光学系ズーム位置検出回路３２によって検出され、ＣＰＵ４に送信される。
【００５７】
ＣＰＵ４は、モードスイッチ４３によって選択されたモードに応じた結像サイズＳ１およびＳ２の関係を満たすために、撮像素子２５に合焦した像の結像サイズＳ２を変更する。つまり、記録光学系２０のズーム位置を変更する。そのために、ＣＰＵ４は、ズームモータドライブ回路３３にズームモータ３６を制御する制御信号を送信する。その結果、ズームモータ３６は、記録光学系ズーム位置変更装置３７を介して、記録光学系２０のズーム位置を、選択されたモードに対応した位置に変更する。
【００５８】
それぞれのモードは、以下のような特徴を有する。
【００５９】
Ａモードは、観察視野範囲７１（円形）を、画像記録範囲７２（矩形）に対し、画像記録範囲７２の短辺（Ｈ）を直径とする内接円とした場合である。観察視野範囲７１にある被写体光源Ｓからの光Ｏ１は、全て画像記録範囲７２にある。つまり、観察視野範囲７１にある被写体は、撮像素子２５によって全て記録されている。
【００６０】
したがって、ズームを低倍率とした場合の、観察視野範囲７１に収まる円形の観察画像ｂ−１は、画像記録範囲７２に記録された矩形の記録画像ｃ−１に内接している。この関係は、ズームを高倍率とした場合の、円形の観察画像ｂ−２と矩形の記録画像ｃ−２であっても、同様である。つまり、観察光学系１０の低倍時、高倍時ともに、観察視野範囲７１内の全てと視野から外れている部分とを含めた広角な画像が記録される。撮像素子２５の短辺方向を画角としているため低倍時、高倍時とも約６０％の視野率となる。
【００６１】
Ａモードを用いる効果としては、観察視野範囲７１にある被写体は、撮像素子２５によって全て記録されているので、記録漏れを防ぐことが可能である。
【００６２】
本発明では、矩形の記録範囲の内側に円形の観察視野範囲が位置する状態を、記録範囲が観察視野を内包すると称し、又、画像記録範囲の外側に観察視野範囲が位置する状態を、画像記録範囲が観察視野範囲を外包すると称する。よって、記録範囲に観察視野が内接する状態は、内包に含まれ、外接する状態は外包に含まれる。
【００６３】
Ｃモードは、観察視野範囲７１（円形）を、画像記録範囲７２（矩形）に対し、画像記録範囲７２の対角線を直径とする外接円とした場合である。観察視野範囲７１にある被写体光源Ｓからの光Ｏ１は、画像記録範囲７２に到達する部分だけが記録される。つまり、観察視野範囲７１にある被写体は、撮像素子２５によって全て記録されているわけではなく、観察視野範囲７１内の非記録範囲７３が存在する。
【００６４】
したがって、ズームを低倍率とした場合の、観察視野範囲７１に収まる円形の観察画像ｂ−５は、画像記録範囲７２に記録された矩形の記録画像ｃ−４に外接している。この関係は、ズームを高倍率とした場合の、円形の観察画像ｂ−６と矩形の記録画像ｃ−５であっても、同様である。つまり、観察光学系１０の低倍時、高倍時とも観察視野範囲７１内の画像記録範囲７２に到達する部分だけが記録される。モードＣでは、非記録範囲７３はマスクされているので、一部マスクされた観察視野ｂ−５、ｂ−６と画像記録範囲ｃ−４、ｃ−５はＷ、Ｈともに同比率で、Ａモードに比べて望遠効果が高く、視野率は１００％となる。
【００６５】
Ｃモードを用いる効果としては、望遠効果が高く、記録される画像（ｃ−４、ｃ−５）と観察部（ｂ−５、ｂ−６）が一致するので、望遠効果や等倍効果が求められる、風景撮影等に適している。
【００６６】
そして、Ｂモードは、記録光学系２０を固定し（ｃ−３）、観察光学系１０を高倍率（ｂ−４）と低倍率（ｂ−３）の間で切り替えるモードである。
【００６７】
低倍率時（ｂ−３）には、観察視野範囲７１（円形）は、画像記録範囲７２（矩形）を内包している。観察光学系１０の倍率が上がるにしたがって、観察視野範囲７１上で、像と共に画像記録範囲７２が拡大され、画像記録範囲７２が、観察視野範囲７に内接する。この状態は、Ｃモードと同様である。しかし、Ｃモードと異なって、非記録範囲７３はマスクされず、ユーザは、非記録範囲７３に映る像を見ることができる。更に観察光学系１０の倍率を上げると、画像記録範囲７２が観察視野範囲７１を越え、観察視野範囲７１の示す円に外接する。これは、Ａモードに相当する。
【００６８】
Ｂモードの視野率は、高倍時で約６０％となるが、低倍時では観察系の倍率比をいくつに設定するかで変化するが６０％未満となる。
【００６９】
Ｂモードを用いる効果は、低倍率（広角な視野）においては、Ｃモードと異なり非記録範囲７３はマスクされていないので、画像記録範囲７２に入る前の被写体の動きを、観察視野範囲７１で、追うことができる。したがって、動きのある被写体の撮影に適している。また、被写体の動きを追いながら、動きのある被写体の望遠撮影を可能としている。
【００７０】
図３は、Ｂモードのモード切り替えと撮影効果を説明するための図である。
【００７１】
ここで符号５０は、Ｂモードの低倍時の観察視野範囲７１を示している。符号５１は、Ｂモードの高倍時の観察視野範囲７１を示している。
【００７２】
図３の（ａ）で、低倍時に視野の左側から被写体５３が移動している場合を考える。非記録範囲７３がマスクされていないので、被写体５３の移動が予測できる。
【００７３】
視野内の画像記録範囲７２を示す枠５２内に入った時に、倍率を高倍率（ｂ）に切り替え、シャッタを切ることで、動きのある被写体５３の望遠撮影が可能となる。
【００７４】
以上、本実施形態の双眼鏡１では、Ａモード、Ｂモード、Ｃモードを切り替えることで、撮影意図に応じ撮影をすることができる、
なお、本発明は上記の実施形態に限定されるものではなく、その要旨の範囲内で数々の変形が可能である。例えば、図２では倍率を低倍、高倍の２種類としているが、もちろんズーミングをすることで、連続的に異なる倍率の望遠撮影をすることも可能である。また、逆にズーム機構をもたせない固定倍率の光学観察機器においてもモードの切り替えにより撮影結果に変化を与えることが可能である。また、例えば、本実施形態では双眼鏡を用いているが、単眼鏡を用いても良い。更に、本発明では、画像記録範囲の大きさが連続的に変化するものでも良い。
【図面の簡単な説明】
【図１】本発明の一実施形態に係る画像記録機能付き双眼鏡の概略構成図である。
【図２】本発明の一実施形態における３つのモードを示す図である。
【図３】本発明の一実施形態における表示画像の説明図である。
【図４】本発明の一実施形態に係る画像記録機能付き双眼鏡の処理ブロック図である。
【図５】本発明の一実施形態に係る画像記録機能付き双眼鏡の処理フローである。
【図６】本発明の一実施形態に係る画像記録機能付き双眼鏡の処理フローである。
【符号の説明】
Ｃｘ…双眼鏡の中心軸、ａ…レチクル、
１…双眼鏡、２…ピントリング、３…ズームリング、４…ＣＰＵ
１０Ｌ、１０Ｒ…観察光学系、１１Ｒ，１１Ｌ…対物レンズ，１２Ｒ，１２Ｌ…正立プリズム，１３Ｒ，１３Ｌ…ズーム前レンズ，１４Ｒ，１４Ｌ…ズーム後レンズ，１５Ｒ，１５Ｌ…接眼レンズ、１６Ｒ，１６Ｌ…視野絞り
２０…記録光学系、２１…対物レンズ、２２…ズーム前レンズ、２３…ズーム後レンズ、２４…合焦レンズ、２５…撮像素子
３０…ズーム駆動系、３１…観察光学系ズーム位置検知装置、３２…観察光学系ズーム位置検知回路、３３…ズームモータドライブ回路、３４…合焦モータドライブ回路、３５…合焦モータ、３６…ズームモータ、３７…記録光学系ズーム位置変更装置、３８…レチクル変更装置、３９…記録光学系合焦装置
４０…制御系、４１…主電源スイッチ、４２…シャッタ、４３…モードスイッチ、４４…レチクル変更回路
６０…画像記録系、６１…合焦回路、６２…画像処理回路、６３…出力部、６４…画像信号記録部、６５…メモリカード
【図１】
2005062233.tif 000003
【図２】
2005062233.tif 000004
【図３】
2005062233.tif 000005
【図４】
2005062233.tif 000006
【図５】
2005062233.tif 000007
【図６】
2005062233.tif 000008